(57)【要約】【課題】パターンの線の太さによって形成されるパターンの配置の自由度を大きくしたパターン形成体、カード、印刷物を提供する。【解決手段】カード１は、複数の微小文字６１が配列され、細線により形成される細線部６５と、太線により形成される太線部６６とを有する微小パターン６０と、微小パターン６０の細線部６５、太線部６６によって形成される大パターン７０と、を備える。【選択図】図１
2017035869.tif 000002
【特許請求の範囲】
【請求項１】
複数の第１パターン要素が配列され、細線により形成される細線部と、前記細線部よりも線の太さが太い太線により形成される太線部とを有する第１パターンと、
前記第１パターンの前記細線部、前記太線部によって形成される第２パターンと、
を備えるパターン形成体。
【請求項２】
請求項１に記載のパターン形成体において、
前記第２パターンの輪郭に配置された前記第１パターン要素は、１つの前記第１パターン要素内において、前記細線部、前記太線部を備えること、
を特徴とするパターン形成体。
【請求項３】
請求項１又は請求項２に記載のパターン形成体において、
前記第２パターンの輪郭の周囲に配置された前記第１パターン要素の太さは、均一であること、
を特徴とするパターン形成体。
【請求項４】
請求項１から請求項３のいずれかに記載のパターン形成体において、
前記第１パターン要素の形状は、肉眼では判別できない程度に微小であること、
を特徴とするパターン形成体。
【請求項５】
請求項１から請求項４のいずれかに記載のパターン形成体が基材に形成されていることを特徴とするカード。
【請求項６】
請求項１から請求項４のいずれかに記載のパターン形成体が基材に形成されていることを特徴とする印刷物。
【発明の詳細な説明】
【技術分野】
【０００１】
本発明は、２種類のパターンを有するパターン形成体、カード、印刷物に関するものである。
【背景技術】
【０００２】
従来、複数配列された文字のうち、一部の文字の太さを、他の文字の太さと変えることにより、認証情報を設けた印刷物があった（例えば特許文献１）。
しかし、従来の印刷物は、文字単位で線の太さを変えるため、認証情報の配置の自由度が小さかった。
【先行技術文献】
【特許文献】
【０００３】
【特許文献１】特開２００４−１８５１２６号公報
【発明の概要】
【発明が解決しようとする課題】
【０００４】
本発明の課題は、パターンの線の太さによって形成されるパターンの配置の自由度を大きくしたパターン形成体、カード、印刷物を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、複数の第１パターン要素（６１，２６１ｂ）が配列され、細線により形成される細線部（６５，２６５）と、前記細線部よりも線の太さが太い太線により形成される（６６，２６６）とを有する第１パターン（６０，２６０）と、前記第１パターンの前記細線部、前記太線部によって形成される第２パターン（７０，２７０）と、を備えるパターン形成体である。
・第２の発明は、第１の発明のパターン形成体において、前記第２パターン（７０，２７０）の輪郭に配置された前記第１パターン要素（６１，２６１ｂ）は、１つの前記第１パターン要素内において、前記細線部（６５，２６５）、前記太線部（６６，２６６）を備えること、を特徴とするパターン形成体である。
・第３の発明は、第１又は第２の発明のパターン形成体において、前記第２パターン（７０，２７０）の輪郭の周囲に配置された前記第１パターン要素（６１，２６１ｂ）の太さは、均一であること、を特徴とするパターン形成体である。
・第４の発明は、第１から第３のいずれかの発明のパターン形成体において、前記第１パターン要素（６１）の形状は、肉眼では判別できない程度に微小であること、を特徴とするパターン形成体である。
・第５の発明は、第１から第４のいずれかの発明のパターン形成体が基材に形成されていることを特徴とするカード（１，２０１）である。
・第６の発明は、第１から第４のいずれかの発明のパターン形成体が基材に形成されていることを特徴とする印刷物である。
【発明の効果】
【０００７】
本発明によれば、パターンの線の太さによって形成されるパターンの配置の自由度を大きくしたパターン形成体、カード、印刷物を提供できる。
【図面の簡単な説明】
【０００８】
【図１】第１実施形態のカード１を示す図である。
【図２】第２実施形態のパターン２５０を説明する図である。
【発明を実施するための形態】
【０００９】
（実施形態）
以下、図面等を参照して、本発明の実施形態について説明する。
（第１実施形態）
図１は、第１実施形態のカード１を示す図である。
図１（Ａ）は、カード１を上面から見た図である。
図１（Ｂ）は、カード１の断面図（図１（Ａ）のＢ−Ｂ部断面図）である。
図１（Ｃ）は、図１（Ａ）の範囲Ｃの拡大図であり、パターン印刷層２０によって形成されるパターン５０を説明する図である。
図１（Ｄ）は、大パターン７０の観察態様を説明するために、大パターン７０の「ＪＡＰＡＮ」の文字の輪郭線（実線）を、図１（Ｃ）に重ねて示す図である。
なお、図１（Ｃ）、図１（Ｄ）の実線は、説明の便宜上示すものであり、実際には形成されない。
図１（Ｅ）は、矢印Ｅで示す微小文字６１である「Ｎ」の模式的な拡大図である。
実施形態、図面では、説明と理解を容易にするために、ＸＹＺ直交座標系を設けて説明する。この座標系は、図１（Ａ）の状態を基準に、左右方向Ｘ（左側Ｘ１、右側Ｘ２）、縦方向Ｙ（下側Ｙ１、上側Ｙ２）、厚さ方向Ｚ（下側Ｚ１、上側Ｚ２）を表す。
図面では、適宜、厚さ方向Ｚの構成を誇張して図示する。
【００１０】
図１（Ａ）、図１（Ｂ）に示すように、カード１（パターン形成体）は、クレジットカード、身分証明証、銀行のキャッシュカード等に利用するものである。
カード１は、基材１０、パターン印刷層２０、上透明層３０、上印刷層３１、下透明層４０、下印刷層４１を備える。
基材１０の上側Ｚ２には、パターン印刷層２０、上透明層３０、上印刷層３１が、下側Ｚ１から上側Ｚ２に向けてこの順番で積層されている。基材１０の下側Ｚ１には、下透明層４０、下印刷層４１が、上側Ｚ２から下側Ｚ１に向けてこの順番で積層されている。
基材１０、上透明層３０、下透明層４０は、ＰＥＴ、ＰＥＴ−Ｇ、ＰＶＣ等の樹脂シート、又はこれらの樹脂のアロイのシート材により形成される。上透明層３０、下透明層４０は、透明層である。これらの層間は、熱プレスによる熱溶着等によって接合されている。
【００１１】
基材１０は、カード１のベースとなる部材である。
パターン印刷層２０は、基材１０上に、版を用いたオフセット印刷等をすることによって積層される。カード１を上側Ｚ２から観察した状態において、パターン印刷層２０の印刷内容は、上透明層３０を透過して、視認できる。
パターン印刷層２０の詳細は、後述する。
【００１２】
上印刷層３１は、例えば、カード１の名称３１ａ等が印刷された層である。上印刷層３１は、上透明層３０上に、オフセット印刷をすることによって積層される。上印刷層３１の上側Ｚ２には、必要に応じて、透明保護層を設けてもよい。
下印刷層４１は、上印刷層３１と同様な印刷層である。
【００１３】
図１（Ｃ）から図１（Ｅ）を参照しながら、パターン印刷層２０によって形成されるパターン５０について、詳細に説明する。
なお、図１（Ａ）には、パターン印刷層２０の印刷は、基材１０上の範囲Ｃの矩形内のみ形成された例を示すが、これに限定されず、基材１０上の全面に設けられていてもよい。また、パターン印刷層２０の印刷範囲は、範囲Ｃのような矩形状に限定されず、他の形状（例えば、扇形、円形等）でもよい。さらに、パターン５０は、例えば、上印刷層３１による文字等に重なる範囲には、設けなくてもよい。
パターン印刷層２０の印刷色は、基材１０上において観察可能であれば限定されない。例えば、基材１０が白色である場合には、パターン印刷層２０の印刷色は、青色の１色であってもよい。また、パターン印刷層２０は、基材１０の直上に形成されていなくてもよい。パターン印刷層２０は、例えば、基材１０に積層された透明層上に形成された形態でもよい。このような形態も、パターン印刷層２０は、基材１０に形成されているという概念に含まれる。
【００１４】
図１（Ｃ）、図１（Ｄ）に示すように、パターン５０は、微小パターン６０（第１パターン）、大パターン７０（第２パターン）を備える。
微小パターン６０は、複数の微小文字６１（第１パターン要素）が配列されている。実施形態では、微小パターン６０は、「ＪＡＰＡＮ」という文字列が、縦方向Ｙ、左右方向Ｘに複数配列されている。微小文字６１は、「ＪＡＰＡＮ」の各文字である。
なお、微小パターン６０は、微小文字６１が配列されたものに限定されず、例えば、図形、記号、模様等の微小要素が配列されたもの（微小要素群）でもよい。
微小文字６１は、マイクロ文字と称されるものである。例えば、微小文字６１の文字サイズ（文字高さ）は、０．２５ｍｍ程度である。このため、肉眼での等倍観察では、各文字を判別できない。微小文字６１は、例えば、ルーペ等の拡大鏡を用いた拡大観察により、判別できる。
このため、微小パターン６０は、肉眼による観察では、単なる一色の背景のように観察される。これにより、観察者は、一見では、微小パターン６０の「ＪＡＰＡＮ」の存在を気づきにくく、また、微小パターン６０は、高い印刷技術を要する。これにより、カード１は、偽造防止効果を向上できる。
また、拡大鏡による観察で、微小パターン６０の「ＪＡＰＡＮ」を観察された場合に、観察者に対して、予想外の驚きを与えることができる。
【００１５】
微小パターン６０は、細線部６５、太線部６６の２つの領域を備える。
図１（Ｃ）に示すように、細線部６５に配置された微小文字６１の線（細線）の太さは、太線部６６に配置された文字の線（太線）の太さよりも、細い。
例えば、細線部６５の太さ（文字の太さ）は、０．０２〜０．０４ｍｍ程度であり、太線部６６の太さ（文字の太さ）は、０．０４〜０．０８ｍｍ程度である。また、細線部６５の太さは、０．０２５〜０．０２８ｍｍであることが好ましく、太線部６６の太さは、０．０５〜０．０７ｍｍであることが好ましい。さらに、太線部６６の太さは、細線部６５の太さの１．７倍以上であることが好ましく、また、２．０〜３．０倍であることがより好ましい。
細線部６５の文字の太さは、少なくとも大パターン７０の輪郭の外側周囲の領域では、均一であることが好ましい。この均一とは、細線部６５に配置された文字は、１つの文字であっても、例えばゴシック体のような文字の太さが一定の形態をいう。なお、細線部６５に配置された文字は、例えば明朝体のような太さが異なる形態でもよいが、ゴシック体のように太さが均一である形態の方が、大パターン７０の文字の識別がより容易である。
太線部６６は、後述する大パターン７０の「ＪＡＰＡＮ」という文字列の形状の領域である。この文字列は、縦方向Ｙ、左右方向Ｘに複数配列されている。
【００１６】
図１（Ｄ）に示すように、大パターン７０は、微小パターン６０の太線部６６の集合によって形成される「ＪＡＰＡＮ」の文字のパターンである。つまり、微小パターン６０の細線部６５、太線部６６の領域が異なる領域として観察され、太線部６６の領域が大パターン７０として、細線部６５の領域が大パターン７０の輪郭の外側の背景として観察される。大パターン７０の「ＪＡＰＡＮ」の文字形状は、太線部６６の領域である。
大パターン７０の「ＪＡＰＡＮ」の各文字は、微小パターン６０の「ＪＡＰＡＮ」の微小文字６１よりも、文字サイズが大きい。「ＪＡＰＡＮ」の文字列の大きさは、例えば、左右方向Ｘの長さＬｘ×縦方向Ｙの長さＬｙが４ｍｍ×１ｍｍ程度である。このため、肉眼よる等倍観察によって、大パターン７０の文字「ＪＡＰＡＮ」を判別できる。
なお、大パターン７０の「ＪＡＰＡＮ」の大きさ、微小文字６１の大きさ等は、適宜設定できる。例えば、微小文字６１の大きさ、文字間隔等は、大パターン７０の「ＪＡＰＡＮ」の文字が判別しやすいように、適宜設定することができる。
これらの文字の大きさは、例えば、微小文字６１の文字高さが０．２５ｍｍである場合には、大パターン７０の文字高さを１．０ｍｍにすることができる。文字の大きさは、これに限られないが、大パターン７０の文字高さが微小文字６１の文字高さの４倍以上であると、大パターン７０の文字の識別が容易である。
また、両者の書体は、同一のもの、異なるもののいずれでもよいが、同一である方が大パターン７０の識別が容易である。
【００１７】
大パターン７０の「ＪＡＰＡＮ」の輪郭（つまり、細線部６５、太線部６６の境界）の部分に、重なるように配置された微小文字６１は、１つの文字であっても、細線部６５、太線部６６を備える。
例えば、図１（Ｅ）に示すように、１つの微小文字６１である「Ｎ」は、大パターン７０の輪郭を境界６７として、細線部６５、太線部６６を備える。
このように、１つの微小文字６１は、細線部６５、太線部６６の両方を備え、また、前述したように、細線部６５の微小文字６１の太さは、大パターン７０の外側周囲の領域では均一である。これにより、カード１は、大パターン７０の「ＪＡＰＡＮ」の文字の輪郭を、よりシャープに表現できる。
【００１８】
また、このように、１つの微小文字６１が細線部６５、太線部６６の両方を備えることにより、パターン５０の印刷には、版による印刷が必要になり、また、より高度な印刷技術が必要になるので、偽装防止効果をより向上できる。
さらに、細線部６５、太線部６６の２つの領域によって大パターン７０を形成し、かつ、微小文字６１を大パターン７０の輪郭を跨って配置できるので、大パターン７０の「ＪＡＰＡＮ」の配置の自由度を向上できる。
【００１９】
以上説明したように、本実施形態のカード１のパターン５０は、肉眼による観察では、大パターン７０の「ＪＡＰＡＮ」を観察できる。一方、拡大鏡による観察では、微小パターン６０の「ＪＡＰＡＮ」を観察できる。また、偽造防止効果を向上できるので、セキュリティ性を向上できる。
【００２０】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図２は、第２実施形態のパターン２５０を説明する図である。
図２（Ａ）は、パターン印刷層によって形成されるパターン２５０を説明する図である（図１（Ｃ）に対応する図）。
図２（Ｂ）は、大パターン２７０の観察態様を説明するために、大パターン２７０の「ＪＡＰＡＮ」の文字の輪郭線（実線）を、図２（Ａ）に重ねて示す図である（図１（Ｄ）に対応する図）。
【００２１】
第２実施形態のカード２０１は、積層構成が第１実施形態と同じであり、パターンの形態のみが第１実施形態とは異なる。
微小パターン２６０は、複数の微小文字２６１ａ、複数の線２６１ｂ（第１パターン要素）を備える。
複数の線２６１ｂは、左右方向Ｘに平行に延在する線である。複数の線２６１ｂは、３本が一組である。これらの組は、微小文字２６１ａの「ＪＡＰＡＮ」の行間に配置されている。
各線２６１ｂは、細線部２６５、太線部２６６の２つの領域を備える。
つまり、各線２６１ｂは、１つの線内において、細線部２６５と、これより線幅が太い太線部２６６とを備える。
【００２２】
大パターン２７０の「ＪＡＰＡＮ」の各文字は、これら細線部２６５、太線部２６６によって形成されるパターンである。つまり、大パターン２７０は、細線部２６５、太線部２６６の領域が、異なる領域として観察されることにより、表現されるパターンである。
このように、本実施形態は、大パターン２７０の文字パターンを、微小文字ではなく、複数の線２６１ｂで表現できる。これにより、大パターン２７０の文字パターンを、第１実施形態よりも簡単な印刷技術によって形成できる。
なお、線２６１ｂの本数を３本よりも多くすれば、大パターン２７０の輪郭を、より明確にすることができる。
細線部２６５の太さ、太線部２６６の太さは、第１実施形態の細線部６５の太さ、太線部６６の太さと同様である。
【００２３】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００２４】
（変形形態）
（１）実施形態において、パターンは、印刷によって形成された例を示したが、これに限定されない。パターンは、形状を観察できるものであれば、いずれの方法によって形成してもよい。
２つのパターンは、例えば、エッチング、金属蒸着等によって設けてもよい。
また、パターン及びパターンを形成する物体は、平面的なものに限定されず、例えば、射出成形、プレス成形等によって、樹脂、金属等の立体的な物体の表面に立体的に形成したものでもよい。
【００２５】
（２）実施形態において、第１パターンは、肉眼では形状が判別できない微小パターンである例を示したが、これに限定されない。第１パターンは、肉眼で形状が判別できるものでもよい。
【００２６】
（３）実施形態において、大パターンが微小パターンの太線部の集合によって形成され、微小パターンの太線部の領域が大パターンとして、細線部の領域が大パターンの輪郭の外側の背景として観察される例を示したが、これに限定されない。大パターンが微小パターンの細線部の集合によって形成され、微小パターンの細線部の領域が大パターンとして、太線部の領域が大パターンの輪郭の外側の背景として観察される形態でもよい。この形態は、大パターンの領域が周囲よりも薄くなるので、文字抜きのような形態で大パターンの文字を表現できる。
【００２７】
（４）実施形態において、大パターン内の微小文字の領域の全部が、太い例を示したが、これに限定されない。大パターン内の微小文字の領域のうち、大パターンの輪郭部分のみを太くした形態でもよい。この形態は、印刷のインキ量を減らすことができるので、低コストである。高価のインキの場合は、コスト面でのメリットがより大きくなる。
【００２８】
（５）実施形態において、微小パターン、大パターンは、文字パターンである例を示したが、これに限定されない。微小パターン、大パターンのうち少なくとも１つは、記号、図形、画像等でもよい。
【００２９】
（６）実施形態において、パターンは、カードに設けた例を示したが、これに限定されない。パターンは、金券、証券、パスポート、紙幣等の印刷物に設けてもよい。この場合にも、パターンは、基材等に印刷等することにより形成できる。また、この場合には、これらの印刷物の偽造防止効果を向上できる。
【符号の説明】
【００３０】
１，２０１…カード    １０…基材    ２０…パターン印刷層    ５０，２５０…パターン    ６０，２６０…微小パターン    ６１…微小文字    ６５，２６５…細線部    ６６，２６６…太線部    ６７…境界    ７０，２７０…大パターン    ２６１ｂ…線
【図１】
2017035869.tif 000003
【図２】
2017035869.tif 000004